(57)【特許請求の範囲】
【請求項１】
構造物の状態を計測するセンサと、前記センサの動作に基づいて前記構造物に対して作業が行われる作業エリアと、前記作業エリアと離して設置されて、前記センサから出力された計測データを用いて管理情報を作成すると共にこの管理情報を管理するデータ管理装置と、前記作業エリアで作業する作業員に装着されるヘルメットに組み込まれ、前記作業員の両手が作業できる状態でデータ入力ができるように前記作業員に装着されたときに当該作業員の口の近傍に配置されるマイク、及び当該作業員の目の斜め下方に配置されるディスプレイを有すると共に、前記データ管理装置に対してデータの送受信を行うポータブル通信装置とを備えた監視対象構造物を監視する方法であって、
前記ポータブル通信装置が、前記管理情報の送信を要求する送信要求データの、前記マイクからの音声データによる入力を受け付けて、この送信要求データを前記データ管理装置に送信し、
前記データ管理装置が、前記送信要求データを受信して、この送信要求データが要求する前記管理情報を前記ポータブル通信装置に送信し、
前記ポータブル通信装置が、前記管理情報を受信して、前記作業員が当該ポータブル装置を装着した状態でこの管理情報を監視できるように、この管理情報を前記ディスプレイに出力することを特徴とする監視対象構造物の監視方法。
【請求項２】
前記監視対象構造物には複数のセンサが設置されており、前記データ管理装置は、これら複数のセンサから出力された前記計測データを集中管理する集中管理装置である請求項１に記載の監視対象構造物の監視方法。
【請求項３】
前記監視対象構造物は化学プラントである請求項１又は２に記載の監視対象構造物の監視方法。
【請求項４】
前記データ管理装置と前記ポータブル通信装置との間でのデータの送受信を無線、超音波或いは空間光通信で行っている請求項１〜３のいずれか一項に記載の監視対象構造物の監視方法。
【請求項５】
構造物の状態を計測するセンサから出力される計測データに基づいて監視対象構造物を監視する監視装置において、
前記センサの動作に基づいて前記監視対象構造物に対して作業が行われる作業エリアと、
前記作業エリアと離して設置されて、前記センサから出力された計測データを用いて管理情報を作成すると共にこの管理情報を管理するデータ管理装置と、
前記作業エリアで作業する作業員に装着されるヘルメットに組み込まれ、前記作業員の両手が作業できる状態でデータ入力ができるように前記作業員に装着されたときに当該作業員の口の近傍に配置されるマイク、及び当該作業員の目の斜め下方に配置されるディスプレイを有すると共に、前記データ管理装置に対してデータの送受信を行うポータブル通信装置とを備え、
前記データ管理装置は、前記管理情報の送信を要求する送信要求データを受信して、この送信要求データが要求する前記管理情報を前記ポータブル通信装置に送信し、
前記ポータブル通信装置は、送信要求データの、前記マイクからの音声データによる入力を受け付けて、この送信要求データを前記データ管理装置に送信すると共に、前記管理情報を受信して、前記作業員が当該ポータブル装置を装着した状態でこの管理情報を監視できるように、この管理情報を前記ディスプレイに出力することを特徴とする監視対象構造物の監視装置。
【請求項６】
前記監視対象構造物には複数のセンサが設置されており、前記データ管理装置は、これら複数のセンサから出力された前記計測データを集中管理する集中管理装置である請求項５に記載の監視対象構造物の監視装置。
【請求項７】
前記監視対象構造物は化学プラントである請求項５又は６に記載の監視対象構造物の監視方法。
【請求項８】
前記データ管理装置と前記ポータブル通信装置との間でのデータの送受信を無線、超音波或いは空間光通信で行っている請求項５〜７のいずれか一項に記載の監視対象構造物の監視方法。
【発明の詳細な説明】
【０００１】
【発明の属する技術分野】
本発明は、化学プラント、発電プラント、遊技施設、船舶、インテリジェントビルなどの監視対象構造物を監視する監視方法及び監視装置に関する。
【０００２】
【従来の技術】
従来の監視対象構造物は、火災、温度、煙などを検知する複数のセンサと、各センサから出力された計測データを集中して管理する計器室と、作業員が監視を行うための作業エリアとを備えていた。そして、作業エリアと計器室とにはそれぞれ作業員が配置され、作業員同士はトランシーバを用いて情報の伝達を行っていた。即ち、作業エリアの作業員が計器室の作業員に対してトランシーバで計測データを要求すると、計器室の作業員は制御盤に表示された計測データを読み取って、作業エリアの作業員にトランシーバで伝えた。このような情報の伝達によって、作業エリアの作業員は必要なデータを得ることができ、このデータに基づいて作業員は監視対象構造物の監視を行った。
【０００３】
【発明が解決しようとする課題】
しかしながら、従来の監視対象構造物の監視方法は、作業員同士の連絡をトランシーバで行っていたので、計器室の作業員が計測データを読み取って作業エリアの作業員に伝達するまでに時間がかかり、作業エリアの作業員が計測データを迅速に把握することは難しかった。また、計器室に作業員が不可欠であり、多くの人件費がかかった。
【０００４】
本発明は、このような問題を解決し、作業エリアの作業員が計測データを迅速に把握できると共に、少ない作業員で監視することのできる監視対象構造物の監視方法および監視装置を提供することを目的とする。
【０００５】
【課題を解決するための手段】
上記課題を解決するために、本発明の監視対象構造物の監視方法は、構造物の状態を計測するセンサと、センサの動作に基づいて構造物に対して作業が行われる作業エリアと、作業エリアと離して設置されて、センサから出力された計測データを用いて管理情報を作成すると共にこの管理情報を管理するデータ管理装置と、作業エリアで作業する作業員に装着されるヘルメットに組み込まれ、作業員の両手が作業できる状態でデータ入力ができるように作業員に装着されたときに当該作業員の口の近傍に配置されるマイク、及び当該作業員の目の斜め下方に配置されるディスプレイを有すると共に、データ管理装置に対してデータの送受信を行うポータブル通信装置とを備えた監視対象構造物を監視する方法であって、ポータブル通信装置が、管理情報の送信を要求する送信要求データの、マイクからの音声データによる入力を受け付けて、この送信要求データをデータ管理装置に送信し、データ管理装置が、送信要求データを受信して、この送信要求データが要求する管理情報をポータブル通信装置に送信し、ポータブル通信装置が、管理情報を受信して、作業員が当該ポータブル装置を装着した状態でこの管理情報を監視できるように、この管理情報をディスプレイに出力することを特徴とする。
【０００６】
本発明はこのように構成されているので、作業エリアで作業する作業員が送信要求データをポータブル通信装置に入力すると、ポータブル通信装置はこの送信要求データをデータ管理装置に送信する。データ管理装置ではこの送信要求データを受信して、この送信要求データが要求する管理情報をポータブル通信装置に返信する。その結果、ポータブル通信装置に管理情報が到達し、この管理情報はポータブル通信装置から出力される。
【０００７】
このように、作業エリアにいる作業員がデータ管理装置の管理情報に自由にアクセスできるので、作業の効率化、作業の安全性の向上及びミスの低減を図ることができる。また、作業員は、作業エリアの作業員だけでよく、データ管理装置を監視する作業員は不要である。このため、少ない作業員で監視対象構造物を監視することができる。また、作業員が、両手が作業できる状態でポータブル通信装置に送信要求データを入力することができポータブル通信装置がその送信要求データに係る管理情報を受信して出力するので、作業員が管理情報をリアルタイムでモニタしながら両手で作業を行うことができ、作業効率及び作業の安全性が大幅に向上する。
【０００８】
ここで、監視対象構造物には複数のセンサが設置されており、データ管理装置は、これら複数のセンサから出力された計測データを集中管理する集中管理装置であることが好ましい。
【０００９】
また、監視対象構造物は化学プラントであることが好ましい。
【００１０】
さらに、データ管理装置とポータブル通信装置との間でのデータの送受信を無線、超音波或いは空間光通信で行うことが好ましい。
【００１３】
また、本発明の監視対象構造物の監視装置は、構造物の状態を計測するセンサから出力される計測データに基づいて監視対象構造物を監視する監視装置において、センサの動作に基づいて監視対象構造物に対して作業が行われる作業エリアと、作業エリアと離して設置されて、センサから出力された計測データを用いて管理情報を作成すると共にこの管理情報を管理するデータ管理装置と、作業エリアで作業する作業員に装着されるヘルメットに組み込まれ、作業員の両手が作業できる状態でデータ入力ができるように作業員に装着されたときに当該作業員の口の近傍に配置されるマイク、及び当該作業員の目の斜め下方に配置されるディスプレイを有すると共に、データ管理装置に対してデータの送受信を行うポータブル通信装置とを備え、データ管理装置は、管理情報の送信を要求する送信要求データを受信して、この送信要求データが要求する管理情報をポータブル通信装置に送信し、ポータブル通信装置は、送信要求データの、マイクからの音声データによる入力を受け付けて、この送信要求データをデータ管理装置に送信すると共に、管理情報を受信して、作業員が当該ポータブル装置を装着した状態でこの管理情報を監視できるように、この管理情報をディスプレイに出力することを特徴とする。
【００１４】
本発明はこのように構成されているので、作業エリアで作業する作業員が送信要求データをポータブル通信装置に入力すると、ポータブル通信装置はこの送信要求データをデータ管理装置に送信する。データ管理装置ではこの送信要求データを受信して、この送信要求データが要求する管理情報をポータブル通信装置に返信する。その結果、ポータブル通信装置に管理情報が到達し、この管理情報はポータブル通信装置から出力される。
【００１５】
このように、作業エリアにいる作業員がデータ管理装置の管理情報に自由にアクセスできるので、作業の効率化、作業の安全性の向上及びミスの低減を図ることができる。また、作業員は、作業エリアの作業員だけでよく、データ管理装置を監視する作業員は不要である。このため、少ない作業員で監視対象構造物を監視することができる。また、作業員が、両手が作業できる状態でポータブル通信装置に送信要求データを入力することができポータブル通信装置がその送信要求データに係る管理情報を受信して出力するので、作業員が管理情報をリアルタイムでモニタしながら両手で作業を行うことができ、作業効率及び作業の安全性が大幅に向上する。

【００１６】
ここで、監視対象構造物には複数のセンサが設置されており、データ管理装置は、これら複数のセンサから出力された計測データを集中管理する集中管理装置であることが好ましい。
【００１７】
また、監視対象構造物は化学プラントであることが好ましい。
【００１８】
さらに、データ管理装置とポータブル通信装置との間でのデータの送受信を無線、超音波或いは空間光通信で行うことが好ましい。
【００２１】
【発明の実施の形態】
以下、本発明に係る監視対象構造物の監視方法および監視装置の好適な実施形態について添付図面を参照して説明する。
【００２２】
本発明の監視対象構造物は、構造物内部及び／又は周辺部の状態を監視することが求められている構造物であり、この要求を満たすセンサが設置されている構造物である。好適には、監視対象構造物は、複数のセンサから出力された計測データを集中管理するデータ集中管理装置を有する構造物である。このような監視対象構造物には、化学プラント、発電プラント、遊技施設、船舶、インテリジェントビルなどがあり、これらの構造物を監視するためのセンサを例示すれば、インテリジェントビルや病院施設などの建物の監視においては、火災センサ、温度センサ（例えば、空調設備の制御用センサ）、光度センサ、煙センサ、侵入センサ、漏電センサ、電磁波センサなどである。なお、本発明のセンサは、構造物毎に及び要求されるレベルに応じて適宜設置され得るものであるが、監視対象構造物に特有の物理量、化学量、機械量（変位、角度などの量）などを検知すると共に、データ管理装置と電気的に結合している検知器または検知システムである。
【００２３】
以降、監視対象構造物の一例である化学プラントの監視方法および監視装置について説明していく。
【００２４】
図１は、化学プラントの監視装置１を示すブロック図である。図１に示すように、監視装置１は、複数のセンサ１１から出力された計測データに基づいて管理情報を作成すると共にこの管理情報を管理するデータ管理装置２０と、データ管理装置２０に対してデータの送受信を行うためのポータブル通信装置３０とを備えている。ここで計測データは、化学プラントの監視又は運転などに必要とされる物理量又は化学量として表現されたデータである。
【００２５】
センサ１１は化学プラントを構成する反応器、加熱炉や冷却塔などの化学装置１０に組み込まれており、この化学装置１０には作業員がプラントを監視或いは運転するための作業エリア４０が設定されている。また、データ管理装置２０は作業エリアから離れた集中運転監視室である計器室５０に設置されている分散形計装制御システム（ＤＳＣ：Distributed Control System）である。さらに、ポータブル通信装置３０は、作業エリア４０で化学装置１０を操作する作業員４１が携帯している。さらにまた、化学装置１０とデータ管理装置２０とはケーブル６０で接続されており、センサ１１から出力された計測データは、ケーブル６０を介してデータ管理装置２０に伝送される。
【００２６】
作業エリア４０は、作業員が監視対象構造物に対して行う運転、監視、保守、点検或いは調整といった必要な作業のために構造物に設定された領域であって、センサの作用が及んでいる領域、センサ自体又はセンサの動作の原因が占有している領域などが作業エリアとなり得る。従って、作業エリアは監視対象構造物の内部に限られず、例えば、侵入センサなどでは、作業エリアは監視対象構造物の周辺部に及ぶことがある。また、化学プラントにおける反応器の反応温度を検知する温度センサの場合、センサ自体は反応器内部の温度に直接的に対応しているだけであるが、インタークーラーの水量又は水温調節手段を操作するエリアが、反応温度について行う作業のためのエリアとなることがある。
【００２７】
データ管理装置２０とポータブル通信装置３０とは、無線でデータの交信を行っている。このため、ポータブル通信装置３０にはケーブルが不要となり、ポータブル通信装置３０の携帯性が向上する。データの交信は、まずポータブル通信装置３０からデータ管理装置２０に向けて送信要求データが送信され、データ管理装置２０からポータブル通信装置３０に向けて、この送信要求データに基づく管理情報が送信される。そして、作業員４１は受け取った管理情報を認識して、必要に応じて化学装置１０が備えるバルブ１２或いはスイッチ１３などの制御手段を操作して、化学装置１０を運転する。操作の必要のない正常な管理情報を受け取ったときでも、データの交信は作業員４１にとって化学プラントを単に監視したことで意味がある。
【００２８】
ポータブル通信装置３０は携帯電話に類似した外観を有しており、音声データを入出力させるためのマイク３１及びスピーカ３２を備えている。そして、マイク３１を通して作業員４１が音声で入力したデータが、送信要求データとしてデータ管理装置２０に伝送される。また、データ管理装置２０からポータブル通信装置３０に伝送された管理情報が、ポータブル通信装置３０のスピーカ３２から音声で出力される。
【００２９】
データ管理装置２０は、化学装置１０に組み込まれた複数のセンサ１１から出力された計測データを集中管理する集中管理装置である。このデータ管理装置２０は、図２に示すように、計測データを入力してこの計測データに基づいた管理情報を作成する制御システム２１と、制御システム２１で作成された管理情報を転送するゲートウェイユニット２２と、ゲートウェイユニット２２で転送された管理情報を記憶する外部記憶装置２３とを備えている。また、データ管理装置２０は、送信要求データを受信する受信用無線機２４と、受信用無線機２４で受信した音声の送信要求データを認識する音声認識装置２５と、送信要求データを録音する録音装置２６とを備えている。さらに、データ管理装置２０は、ゲートウェイユニット２２で転送された管理情報に基づいて音声の管理情報を発生させる音声発生装置２７と、音声の管理情報を送信する送信用無線機２８と、音声認識装置２５および音声発生装置２７を制御するＣＰＵ２９とを備えている。なお、制御システム２１で作成される管理情報には、Ａ／Ｄ変換された計測データ（計数型データ）を経時的にプロットしたグラフ情報や、構造物のスケルトン画像上に計数型データを重畳させた画像情報などの加工された管理情報がある。また、計数型データそのもの（例えば、数字データ、２値データなど）や監視対象構造物に対して遂行されるべき作業の手順、或いはこれらの組合せを管理情報としてもよい。
【００３０】
なお、受信用無線機２４と送信用無線機２８との代わりに、受光装置と光出射装置とをデータ管理装置２０に設けて、データ管理装置２０とポータブル通信装置３０とのデータの転送を空間光通信で行っても良い。このように、空間光通信でデータ伝送を行った場合、閉鎖された空間の中だけを光信号が伝達されるので、他の化学プラントに光信号が伝送されることはない。また、データ管理装置２０とポータブル通信装置３０との双方に超音波の送波器及び受波器を設けて、両者の間のデータ交信を超音波（変調波）で行うこともできる。
【００３１】
図３は化学装置１０の一例である反応器１４を示す断面図である。図３に示すように、反応器１４はモータ１５を上部に備え、反応器１４内部に設けられると共にモータ１５に結合した攪拌翼１６が回転する。そして、攪拌翼１６の回転によって外部から供給された原料Ａ，Ｂ及び溶媒が攪拌され、これらの原料の反応が進行する。原料Ａ，Ｂ及び溶媒の供給は、供給用のパイプにそれぞれ設けられたバルブ１２ａ〜１２ｃを通常は自動的に制御して行われるが、作業員４１が手動で供給を制御することもできる。また、モータ１５の駆動は、モータ駆動用のスイッチ１３ａを作業員４１が制御して行うことができる。
【００３２】
さらに、反応器１４内部の原料Ａ，ＢにｐＨ調整液を添加することにより、原料Ａ，ＢのｐＨが調整される。このｐＨ調整液の添加は、調整液添加用のパイプに設けられたバルブ１２ｄを作業員４１が制御して行うことができる。また、反応器１４には反応器１４内部の温度上昇を抑制するインタークーラー１７が設けられている。このインタークーラー１７の制御は、インタークーラー制御用のスイッチ１３ｂを作業員４１が制御して行うことができる。
【００３３】
反応器１４内部の反応が進行して生成された製品は、製品送出用のパイプを通って製品タンク１８に貯蔵される。製品の貯蔵は、製品送出用のパイプに設けられたバルブ１２ｅを作業員４１が制御して行うことができる。さらに、製品タンク１８に貯蔵された製品の取り出しは、製品取出用のパイプに設けられたバルブ１２ｆを作業員４１が制御して行うことができる。
【００３４】
一方、反応器１４には、原料Ａ，Ｂ及び溶媒の流量を検出する流量センサ１１ａ〜１１ｃと、反応器１４内部の温度、ガスクロマトグラフィー分析による反応液の組成（この組成分析のためのシステムをガスクロセンサーという）、圧力、ｐＨ、タンクレベル（タンク内の反応液の量）をそれぞれ検出する温度センサ１１ｄ、ガスクロセンサ１１ｅ、圧力センサ１１ｆ、ｐＨセンサ１１ｇ及びレベルセンサ１１ｈと、製品送出用パイプ内の温度を検出する温度検出センサ１１ｉとが組み込まれている。そして、これらのセンサ１１ａ〜１１ｉで検出された温度、圧力、流量、ｐＨ、反応液の組成及びタンクレベルといった計測データは、ケーブル６０を通ってデータ管理装置２０に送られ、データ管理装置２０の外部記憶装置２３で管理される。
【００３５】
次に、監視装置１を用いた化学プラントの監視方法について、図１〜図３を用いて説明する。作業員４１は作業エリア４０を定期的に巡回して、化学装置１０の運転状況を監視する。監視する項目には、供給用のパイプを流れる原料Ａ，Ｂ、溶媒の流量、反応器１４内部の圧力、温度、水素イオン濃度、反応液の組成、タンクレベルなどがある。ここで、作業員４１が反応器１４内部の温度を監視する場合、作業員４１はポータブル通信装置３０のマイク３１に向かって、「Ｔ１００」と言う。ここで、反応器１４に組み込まれた温度センサ１１ｄには番号１００が付けられているものとして、“Ｔ１００”は１００番目の温度センサを意味するものとする。
【００３６】
ポータブル通信装置３０への音声の入力によって、この音声データはポータブル通信装置３０からデータ管理装置２０の受信用無線機２４に無線で伝送される。受信用無線機２４では受信した音声データを音声認識装置２５に転送し、音声認識装置２５ではこの音声データがいずれの管理情報の送信を要求しているか解析する。また、音声データは録音装置２６に録音される。
【００３７】
一方、反応器１４に組み込まれた各センサ１１ａ〜１１ｉから出力される計測データは、ケーブル６０を介してリアルタイムにデータ管理装置２０の制御システム２１に伝送される。そして、制御システム２１ではこの計測データに基づいて管理情報が作成され、ゲートウェイユニット２２を介して外部記憶装置２３に記憶される。このため、外部記憶装置２３に記憶された各管理情報は、各センサ１１ａ〜１１ｉからデータが送られてくる毎に更新されることとなり、外部記憶装置２３の管理情報は常に最新のデータ（即ち、各センサ１１ａ〜１１ｉの計測データをリアルタイムに反映させたデータ）となる。
【００３８】
ＣＰＵ２９は、音声認識装置２５で解析した送信要求に基づいて、送信要求の対象となる管理情報を外部記憶装置２３から読み出す。即ち、音声データが「Ｔ１００」なので、温度センサ１１ｄで計測した温度データを外部記憶装置２３から読み出す。そして、この温度データを音声発生装置２７に転送して、音声データを発生させる。この音声データは、送信用無線機２８からポータブル通信装置３０に無線で伝送され、ポータブル通信装置３０のスピーカ３２から出力される。その結果、作業員４１は、現在の反応器１４内部の温度をリアルタイムで知ることができる。
【００３９】
次に、例えば反応器１４内部の温度を上昇させる意図をもって、作業員４１がインタークーラー制御用のスイッチ１３ｂを操作すると、インタークーラー１７の能力が低下し、その結果、反応器１４内部の温度は上昇し始める。さらに、作業員４１が温度データの送信を要求する音声データを、ポータブル通信装置３０に繰り返し入力することにより、作業員４１は反応器１４内部の温度の上昇をリアルタイムでモニタすることができる。そして、反応器１４内部の温度が所望の温度になった段階で、作業員４１がインタークーラー制御用のスイッチ１３ｂを逆に操作すると、インタークーラー１７の能力が上昇する。その結果、反応器１４内部の温度は所望の温度で一定になる。
【００４０】
ポータブル通信装置３０におけるデータの入出力は、音声データをマイク３１に入力してスピーカ３２から音声データを出力させる方式を採用している。この方式以外にも、音声データをマイクに入力してポータブル通信装置３０に設けられたディスプレイに画像データを表示させる方式、文字データをキー入力してスピーカから音声データを出力させる方式、文字データをポータブル通信装置３０に設けられたキーから入力して画像データをディスプレイに表示させる方式などがある。また、携帯電話タイプのポータブル通信装置３０以外にも、ヘルメット組込み型のポータブル通信装置やグローブ組込み型のポータブル通信装置などがある。ここで、画像データは文字データ及びグラフィックデータのいずれであってもよい。
【００４１】
まず、図４に示すように、ヘルメット組込み型のポータブル通信装置７０は、送信要求データを音声データとしてマイク７１から入力して、画像データをディスプレイ７２に表示させる方式を採用している。即ち、ヘルメット７３の右耳の部分からアーム７４が斜め下方に延在し、このアーム７４の先端にマイク７１が固定されている。また、ヘルメット７３の両耳の部分から一対のアーム７５が斜め下方に延在し、これらのアーム７５の先端に矩形状のディスプレイ７２が固定されている。その結果、作業員４１の口の近傍にマイク７１が配置され、作業員４１はマイク７１から音声データを入力することができる。また、作業員４１の目の斜め下方にディスプレイ７２が配置され、作業員４１が視線を下に落とした状態でディスプレイ７２に表示された画像データを読み取ることができる。例えば、作業員４１がマイク７１に向かって「Ｍ０３」と入力すると、データ管理装置２０の３番目のモニタ画面に表示された画像（例えば、１００番目の温度センサにより検出された反応器１４の反応温度の経時変化）がディスプレイ７２に表示される。さらに、ディスプレイ７２はアーム７５の基端部分で回転可能になっており、ディスプレイ７２が不要なときには、ディスプレイ７２を頭上に持ち上げて保持することができる。
【００４２】
このように、ポータブル通信装置７０は、マイク７１及びディスプレイ７２がヘルメット７３に組み込まれているので、作業員４１はデータ管理装置２０の管理情報をリアルタイムでモニタしながら両手を使って作業することができ、作業効率及び作業の安全性が大幅に向上する。
【００４３】
次に、図５に示すように、グローブ組込み型のポータブル通信装置８０は、キー８１を用いてデータを入力して画像データをディスプレイ８２に表示させる方式を採用している。即ち、左手用のグローブ８３の甲の部分にキー８１及びディスプレイ８２が並べて配置されている。従って、作業員４１は右手でキー８１を押しながら、左手で反応器１４を操作することができる。キー８１としては、０から９までの数字キーと、流量、温度、圧力及びタンクレベルのいずれかを選択する選択キー（Ｆ，Ｔ，Ｐ，Ｌ）と、入力をキャンセルするキャンセルキー（Ｃ）と、入力を確定する確定キー（Ｅ）とがある。
【００４４】
ディスプレイ８２には、図６に示すような画像が表示される。画像中の“↑”は上昇中を、“↓”は下降中を、“−”は変化無しを示している。また、画像中の“＊”は現在の入力位置を示している。この画像によれば、流量Ｆ４０１は１９．２で現在上昇中である。また、タンクレベルＬ３０２は１５．２で現在下降中である。さらに、圧力Ｐ３９８は１０．９で変化無しである。さらにまた、流量Ｆ１０１は５４．２で変化無しである。
【００４５】
このように、ポータブル通信装置８０は、キー８１及びディスプレイ８２がグローブ８３に組み込まれているので、作業員４１は一方の手でキー入力しながら、他方の手でバルブ開閉などの作業を行うことができ、作業効率が大幅に向上する。
【００４６】
なお、本発明は上記実施形態に限定されることなく、本発明の趣旨から逸脱しない範囲内において、例えば以下のように変更することも可能である。
【００４７】
（１）上記実施形態では、センサとして、流量センサ１１ａ〜１１ｃ、温度センサ１１ｄ，１１ｉ、ガスクロセンサ１１ｅ、圧力センサ１１ｆ、ｐＨセンサ１１ｇ及びレベルセンサ１１ｈを用いていたが、粘度センサ、質量（例えば、反応器に仕込む原料の仕込量）センサ、塩濃度センサ、攪拌翼の回転数センサ、攪拌翼の回転角度センサ、電気伝達度センサ、電流センサ、電圧センサ、電力センサなどの多種多様のセンサを用いてもよい。このように、各種センサからの様々な情報に基づいて構造物を監視する本発明の監視方法及び監視装置は、構造物の維持、管理、制御、修理、非定常作業などを容易及び確実にすることができ、非常に有用である。
【００４８】
（２）上記実施形態では、画像データの表示にディスプレイ７２，８２を用いていたが、３Ｄメガネ型のディスプレイを用いて、周囲の空間中に立体的にデータを浮かび上がらせて表示してもよい。
【００４９】
【発明の効果】
本発明による監視対象構造物の監視方法及び監視装置は、以上のように構成されているため次のような効果を得ることができる。
【００５０】
即ち、作業エリアにいる作業員がデータ管理装置の管理情報に自由にアクセスできるので、作業の効率化、作業の安全性の向上及びミスの低減を図ることができる。また、作業員は、作業エリアの作業員だけでよく、データ管理装置を監視する作業員は不要である。このため、少ない作業員で監視対象構造物を監視することができる。
【図面の簡単な説明】
【図１】本発明である監視対象構造物の監視装置の一実施形態を示すブロック図である。
【図２】データ管理装置の内部構成を示すブロック図である。
【図３】監視装置で監視する反応器を示す断面図である。
【図４】ヘルメット組込み型のポータブル通信装置を示す図である。
【図５】グローブ組込み型のポータブル通信装置を示す図である。
【図６】計測データが表示されたディスプレイを示す図である。
【符号の説明】
１…監視装置、１０…化学装置、１１…センサ、１２…バルブ、１３…スイッチ、２０…データ管理装置、３０…ポータブル通信装置、４０…作業エリア、４１…作業員、５０…計器室。
【図１】
0003801272.tif 000002
【図２】
0003801272.tif 000003
【図３】
0003801272.tif 000004
【図４】
0003801272.tif 000005
【図５】
0003801272.tif 000006
【図６】
0003801272.tif 000007